(57)【要約】      （修正有）【課題】  従来の既存する様々な造形用粘土は，形成に，特殊な技術を必要とし，繊細な造形物の保形には，補強剤等を使用し，粘土を完全降下させる必要があり，大変手間のかかる作業を行わねばならなかった。繊細な形状も細長い形状も極めて薄い形状も，補強材なしで形成可能な，繰り返し再使用でき，毒物を吸収しやすい人体の指先に配慮し，安全で無害な粘土組成物を提供する。柔軟性、伸延び性および強度が優れ、フィルム状に成形することができる。人体の平均体温により軟質化し，平均室温により硬質化し，繰り返し何度でも再使用可能であり，材料に天然素材を用い，人体にも安全である。【解決手段】  ビーズワックスとパインレジンをほぼ，同重量比率で混合した組成物であり、必要に応じて更にパラフィン、ステアリン酸、タルクパウダーなどが配合できる。伸延び性の高い０．０５ｍｍ厚の薄いフィルム状の成型物にすることができる。【選択図】なし【特許請求の範囲】
【請求項１】
ビーズワックスとパインレジンを混合し，粘土状の組成物としたもの
【請求項２】
ビーズワックス，パインレジン，パラフィン，ステアリン，タルクパウダー，いずれかの天然素材により，生成された，粘土状組成物
【請求項３】
請求項１，２記載の素材で，伸延性，耐圧性，強度，柔軟性が，ポリプロピレンプラスチックに準ずる特性を持つ，組成物
【請求項４】
請求項１，２記載の素材で，人体の平均体温により軟質化し，平均室温で硬質化する繰り返し，再使用可能な組成物
【請求項５】
請求項１，２記載の素材で，０．０５ｍｍ厚フィルム状の形成も可能な，組成物
【請求項６】
請求項１，２記載の素材に，硬化剤などを用い生成された，プラスチック，ゴム等に代わる，組成物
【発明の詳細な説明】
【技術分野】
【０００１】  本発明は，造形性，安全性，経済性の向上を図った，粘土組成物に関する
【背景技術】
【０００２】  国外輸入製品でビーズワックスを用いた，安全で繰り返し再使用可能な粘土や，伸延性の高い，エポキシ樹脂を用いたパテが既存する
【特許文献１】
【特許文献２】
【非特許文献１】
【非特許文献１】
【発明の開示】
【発明が解決しようとする課題】
【０００３】  人体に無害な，ビーズワックスクレイに着目し，既存の製品にはない，繊細な形状の造形が可能な粘土組成物の生成【０００４】  従来の粘土造形技術で用いている，造形物内部に骨格や，補強剤等を使用する必要のない高い保形成のある粘土組成物の生成【０００５】  粘土造形物の制作は，毒物を吸収しやすい指先を使う作業であるため，人体に無害な天然素材を用いた，粘土組成物の生成【０００６】  繰り返し，再使用が可能な経済性の高い粘土組成物の生成
【課題を解決するための手段】
【０００７】  本発明は，上記目的を達成するため，ビーズワックスとパインレジンの特性に着目し，研究，実験を行い，この２つの素材を，ほぼ，同重量比率で混合したところ，極めて，伸延性の高い高分子ポリマーが生成された【０００８】  上記生成物は，０．０５ｍｍ厚のフィルム状にまで伸延する事が可能であり，従来の既存する，どの粘土組成物にも見られない特性であり，従来，粘土組成物では形成不可能であった形状の造形も可能にする【０００９】  ビーズワックス，パインレジンは，共に天然素材であり，人体に無害で安全である【００１０】  上記組成物にタルクパウダーを混合する事により，強度を高めると同時にパインレジンによるべと付きを抑える【００１１】  上記組成物にタルクパウダーを多く混合すると，より，強度が高まるが，伸延性が低下するため，２０％ほどの重量混合比率が望ましい【００１２】  ビーズワックス，パインレジン，タルクパウダーの混合物にパラフィン，ステアリンを加え，組成物の，温度による軟化点を下げる。これによって，本組成物は人体の平均体温により軟化する重量混合比率はパラフィン１３％，ステアリン２％程が望ましい【００１３】  上記５種の組成物中の混合物は，天然素材であり，人体に無害で安全である【００１４】  上記組成物は，人体の平均体温で軟質化し，平均室温で硬質化するので，繰り返し再使用可能であり，経済的である
【発明の効果】
【００１５】  本発明の組成物は高い強度と柔軟性を合わせ持ち，加工しやすく，高い保形成があり，繰り返し再使用が可能な，従来既存するどの粘土組成物にもない特徴を持っている【００１６】  本発明の組成物の強度は既存する再使用可能な粘土の５倍以上，硬質化した状態では，ポリプロピレンプラスチックに準ずる高い強度を持つ【００１７】  約３５℃の人体の体温で加工がたやすい硬さまで軟らかく変化し，約２２℃の平均室温で，補強材なしで造形物の保形が可能なまでに硬質化する【００１８】  ０．０５ｍｍの薄いフィルム状の形状，細長い形状，繊細な形状も，自由自在に従来不可能であった形状の粘土造形が可能【００１９】  何度でも，繰り返し再使用が可能であり，経済的である【００２０】  本発明の組成物は，人体に無害な天然素材で生成されているため，安心して使用可能【００２１】  本発明の組成物は，ロウソクなどにも使用されている素材であり，可燃ゴミとして廃棄可能【００２２】  本発明の組成物は，ビーズワックス，パインレジン，パラフィン，ステアリン，タルクパウダー，これら５種類の天然素材の混合比率を変える事により，用途に合わせた生成物の組成が可能
【発明を実施するための最良の形態】
【００２３】  望ましい標準的な組成成分配合は以下の通りである
ビーズワックス（ミリシン，セロチン酸）３５％，パインレジン（レボピマール酸，イソアビチン酸，デキスロピマール酸）３０％，パラフィン１３％，ステアリン２％，タルクパウダー２０％【００２４】  １００℃の湯銭で，パラフィン，ステアリン，パインレジン，タルクパウダー，ビーズワックスの順で容器に投入後，約２０分間あたためる。パインレジンを完全に溶かし，よくかき混ぜた後，容器から生成物を取り出し，２５℃以下の温度で冷やす事により，本発明生成物の固形物が完成する。【００２５】  ２５℃以上で軟質化，人体の手の温度の熱移動で可能。【００２６】  硬くなった本性生物は少量を固体より，ねじりとり，よくこね，温めた後，再び少量を個体よりねじりとり，温めたものとよく混ぜ合わせる。すると，熱移動により，硬い部分が軟らかくなる。これを繰り返す。（ねじることで熱が発生しやすくなる）【００２７】  本生成物は多少べと付きがあるが硬化すると，サラサラに，なめらかになる。温まり過ぎた本生成物はかなり，べと付くが，水をつけながら作業する事で，べと付きを無くす事が可能【００２８】  本発明，組成物の取り扱い上の注意点として，本生成物を気体化させないこと。パインレジンの成分が人体の呼吸器，神経系に影響を及ぼすためであり，その際には保護具の着用の必要性がある。【００２９】  本発明，組成物の取り扱い上の注意点として，本生成物を気体化させないこと。パインレジンの成分が人体の呼吸器，神経系に影響を及ぼすためであり，その際には保護具の着用の必要性がある【００３０】  約６０℃以上の場所に２０分以上放置した場合，気化し，人体の呼吸器，神経系に影響を与えるので，マスク，ゴーグルなどの保護具の着用，換気扇の使用，もしくは使用を停止する必要性がある。【００３１】  シリコンなどで型取りする場合は冷蔵庫などで冷やし気味にしてから，型取る事を推奨【００３２】  固形物を形成する場合，手で形成するよりも，一度，溶かしてから，型に流し，形成する事により，より結合性の高い形成物の制作が可能。
【産業上利用の可能性】
【００３３】  本発明の組成物は，約３０℃から約２０℃間で軟質化と硬質化を繰り返す素材であり，この特性を応用した産業上利用の可能性がある
【００３４】  本発明の組成物は硬質化するとポリプロピレンプラスチックに準ずる強度を持ち，硬化剤等の使用により，軟質化を排し，プラスチック製品，ゴム製品等に代わる素材となる可能性がある。